(57)【特許請求の範囲】
【請求項１】
ニードルアセンブリマガジン（２）であって、
薬剤送達デバイス（１）を受けるように適用された近位開口部、およびニードルアセンブリ（８）の針（８’）を受けるように適用された遠位開口部を有するカップリング（９）を含むハウジング（６）と、
該ハウジング（６）に連結され、カップリング（９）の該遠位開口部と軸方向で心合わせされた開口部（２２）を有し、ハウジング（６）に対して伸長位置から後退位置に並進運動可能である、ニードルガード（１０）と、
該ニードルガード（１０）に回転可能に連結され、複数のニードルアセンブリ（８）を保持するように適用されたニードルアセンブリキャリア（７）とを含み、
ここで、該ニードルアセンブリキャリア（７）が回転することにより、１つのニードルアセンブリ（８）をカップリングの前記遠位開口部およびニードルガードの前記開口部（２２）と心合わせし、
ニードルアセンブリキャリア（７）は、近位プレート（２５）および遠位プレート（２４）を含み、プレート（２４、２５）のそれぞれは、ニードルアセンブリ（８）を保持するための開口部を含み、
伸長位置から後退位置へのニードルガード（１０）の動きが、ニードルアセンブリ（８）の針（８’）の近位先端がカップリング（９）の遠位開口部から突出し、および針（８’）の遠位先端がニードルガード（１０）の遠位開口部（２２）から突出するようにニードルアセンブリ（８）のニードルハブ（１７）の動きを起こす、
前記ニードルアセンブリマガジン（２）。
【請求項２】
カップリング（９）は、薬剤送達デバイス（１）の遠位端に係合するように適用されたねじ山、バヨネット配置、摩擦嵌め配置またはスナップ嵌め配置を含む、請求項１に記載のニードルアセンブリマガジン（２）。
【請求項３】
ニードルガード（１０）を伸長位置で付勢するガードばね（１１）をさらに含む、請求項１または２に記載のニードルアセンブリマガジン（２）。
【請求項４】
針（８’）は近位先端および遠位先端を有し、ニードルアセンブリ（８）は、針（８’）を保持するように適用されたニードルハブ（１７）をさらに含み、ニードルハブ（１７）は、ニードルアセンブリキャリア（７）の開口部（１８）に摺動可能に配置され、ニードルアセンブリキャリア（７）に対して後退位置から伸長位置に動くことができる、請求項１〜３のいずれか１項に記載のニードルアセンブリマガジン（２）。
【請求項５】
ニードルアセンブリ（８）は、ニードルアセンブリ（８）を後退位置で付勢するニードルばね（１８）をさらに含む、請求項４に記載のニードルアセンブリマガジン（２）。
【請求項６】
ニードルアセンブリキャリア（７）は、ニードルガード（１０）の弾性アーム（１４）に係合するように適用されたラチェット（１５）を含み、弾性アーム（１４）は、ニードルアセンブリキャリア（７）が第１の回転方向に回転するときに、ラチェット（１５）が係合することにより偏向し、ラチェット（１５）に当接して、ニードルアセンブリキャリア（７）が第２の回転方向に回転することを阻止する、請求項１〜５のいずれか１項に記載のニードルアセンブリマガジン（２）。
【請求項７】
ニードルアセンブリキャリア（７）は複数のグリップ機能を含み、グリップ機能の少なくとも１つはニードルガード（１０）の切欠き（１６）から延びる、請求項１〜６のいずれか１項に記載のニードルアセンブリマガジン（２）。
【請求項８】
ニードルガード（１０）が伸長位置から後退位置に動くことにより、ニードルハブ（１７）がハウジング（６）に当接し、後退位置から伸長位置に動いて、（ｉ）針（８’）の近位先端をカップリング（９）の遠位開口部から突出し、（ｉｉ）針（８’）の遠位先端をニードルガード（１０）の遠位開口部（２２）から突出する、請求項３または５に記載のニードルアセンブリマガジン（２）。
【請求項９】
少なくとも１つの印がニードルアセンブリキャリア（７）に配置され、少なくとも１つの印のうちの少なくとも１つは、ニードルガード（１０）の切欠き（１６）を通して見ることができる、請求項１〜８のいずれか１項に記載のニードルアセンブリマガジン（２）。
【請求項１０】
少なくとも１つの印は、数字、図、画像、単語、または色を含む、請求項９に記載のニードルアセンブリマガジン（２）。
【請求項１１】
近位プレート（２５）を遠位プレート（２４）に対して付勢するキャリアばね（２６）をさらに含む、請求項１に記載のニードルアセンブリマガジン（２）。
【請求項１２】
近位プレート（２５）は、ハウジング（６）の駆動歯（２７）に係合するように適用された軌道（２８）を有するステムを含む、請求項１に記載のニードルアセンブリマガジン（２）。
【請求項１３】
軌道（２８）は、傾斜部分（２８．２）によって連結された第１の長手方向チャネル（２８．１）および第２の長手方向チャネルを含む、請求項１２に記載のニードルアセンブリマガジン（２）。
【請求項１４】
ハウジング（６）に連結され、近位プレート（２５）に係合するように適用されたボタン（２３）をさらに含む、請求項１および１１〜１３のいずれか１項に記載のニードルアセンブリマガジン（２）。
【請求項１５】
ハウジング（６）に対するボタン（２３）の、伸長位置から後退位置への軸方向運動に
より駆動歯（２７）が第１の長手方向チャネル（２８．１）内で軸方向に移動し、ハウジング（６）に対するボタン（２３）の、後退位置から伸長位置への動きにより駆動歯（２７）が傾斜部分（２８．２）に沿って第２の長手方向チャネルに移動して、近位プレート（２５）をニードルガード（１０）に対して回転させる、請求項１３または１４に記載のニードルアセンブリマガジン（２）。
【請求項１６】
ボタン（２３）を伸長位置で付勢するボタンばね（２９）
をさらに含む、請求項１５に記載のニードルアセンブリマガジン（２）。
【発明の詳細な説明】
【技術分野】
【０００１】
本発明はニードルアセンブリマガジンに関する。
【背景技術】
【０００２】
従来の薬剤送達デバイスは一般に、薬剤容器と針の間に流体経路を生み出すためのニードルアセンブリを必要とする。使用済み針の再使用に伴う相互汚染、感染および痛みの危険を低減するために、どの注射でも未使用の注射針を使用することが一般に推奨される。
【０００３】
ペン型注射器および自動注射器などの薬剤送達デバイスの多くの使用者は、高齢であることも、器用さが低下していることもある。これらの人々にとって、ニードルアセンブリを送達デバイスに取り付けることは、ニードルアセンブリが正しい方向に向けられていない場合、薬剤の流体経路を不通にすることや、痛みを伴う注射作業になることがあり、問題となり得る。さらに、使用済み注射針を取り外すことは困難なことがあり、また使用者を針刺傷の危険にさらす可能性がある。一般に針は、針刺傷を回避するために注意して取り外すことが推奨される。
【０００４】
さらに、薬剤送達デバイスの使用者は、例えば旅行のときに、複数のニードルアセンブリを携行する必要がある。現在、未使用のニードルアセンブリは、特に携帯用ではない大型の箱に収容されている。
【０００５】
したがって、薬剤送達デバイスへのニードルアセンブリの取付けおよび取外しを容易にし、かつ複数のニードルアセンブリの携帯性を向上するニードルアセンブリマガジンの改善が依然として必要とされている。
【発明の概要】
【発明が解決しようとする課題】
【０００６】
本発明の目的は、改善されたニードルアセンブリマガジンを提供することである。
【課題を解決するための手段】
【０００７】
例示的な実施形態では、本発明によるニードルアセンブリマガジンは、薬剤送達デバイスを受けるように適用された近位開口部、およびニードルアセンブリの針を受けるように適用された遠位開口部を有するカップリングを含むハウジングと、ハウジングに連結され、カップリングの遠位開口部と軸方向で心合わせされた開口部を有するニードルガードと、ニードルガードに回転可能に連結され、複数のニードルアセンブリを保持するように適用されたニードルアセンブリキャリアとを含む。ニードルアセンブリキャリアが回転することにより、１つのニードルアセンブリを遠位開口部および開口部と心合わせする。
【０００８】
例示的な実施形態では、カップリングは、薬剤送達デバイスの遠位端に係合するように適用されたねじ山、バヨネット配置、摩擦嵌め配置またはスナップ嵌め配置を含む。
【０００９】
例示的な実施形態では、ニードルガードは、ハウジングに対して伸長位置から後退位置に並進運動可能である。
【００１０】
例示的な実施形態では、ニードルアセンブリマガジンは、ニードルガードを伸長位置で付勢するガードばねをさらに含む。
【００１１】
例示的な実施形態では、針は近位先端および遠位先端を有し、ニードルアセンブリは、針を保持するように適用されたニードルハブをさらに含む。ニードルハブは、ニードルアセンブリキャリアの開口部に摺動可能に配置され、ニードルアセンブリキャリアに対して後退位置から伸長位置に動くことができる。ニードルアセンブリは、ニードルアセンブリを後退位置で付勢するニードルばねをさらに含む。
【００１２】
例示的な実施形態では、ニードルアセンブリキャリアは、ニードルガードの弾性アームに係合するように適用されたラチェットを含む。弾性アームは、ニードルアセンブリキャリアが第１の回転方向に回転するときに、ラチェットが係合することにより偏向し、ラチェットに当接して、ニードルアセンブリキャリアが第２の回転方向に回転することを阻止する。
【００１３】
例示的な実施形態では、ニードルアセンブリキャリアは複数のグリップ機能を含み、ここで、グリップ機能の少なくとも１つはニードルガードの切欠きから延びる。
【００１４】
例示的な実施形態では、ニードルガードが伸長位置から後退位置に動くことにより、ニードルハブがハウジングに当接し、後退位置から伸長位置に動いて、（ｉ）針の近位先端をカップリングの遠位開口部から突出し、（ｉｉ）針の遠位先端をニードルガードの遠位開口部から突出する。
【００１５】
例示的な実施形態では、少なくとも１つの印がニードルアセンブリキャリアに配置され、少なくとも１つの印のうちの少なくとも１つは、ニードルガードの切欠きを通して見ることができる。少なくとも１つの印は、数字、図、画像、単語、または色を含む。
【００１６】
例示的な実施形態ではニードルアセンブリキャリアは、近位プレートおよび遠位プレートを含む。プレートのそれぞれは、ニードルアセンブリを保持するための開口部を含む。キャリアばねが、近位プレートを遠位プレートに対して付勢する。近位プレートは、ハウジングの駆動歯に係合するように適用された軌道を有するステムを含む。軌道は、傾斜部分によって連結された第１の長手方向チャネルおよび第２の長手方向チャネルを含む。
【００１７】
例示的な実施形態では、ボタンをハウジングに連結し、近位プレートに係合するように適用することができる。ハウジングに対するボタンの、伸長位置から後退位置への軸方向運動により駆動歯が第１の長手方向チャネル内で軸方向に移動し、ハウジングに対するボタンの、後退位置から伸長位置への動きにより駆動歯が傾斜部分に沿って第２の長手方向チャネルに移動し、それによって近位プレートをニードルガードに対して回転させる。ボタンばねが、ボタンを伸長位置で付勢することができる。
【００１８】
本発明によるニードルアセンブリマガジンの例示的な実施形態では、薬剤送達デバイスのニードルアセンブリの交換をより迅速かつ容易にし、針刺傷の危険を低減し、かつニードルアセンブリを収納するのに必要な空間を低減する。
【００１９】
ニードルアセンブリには触れる必要が全くなく、これにより負傷の危険が大幅に低減する。ニードルアセンブリマガジン中のニードルアセンブリのすべてが使用された後、ニードルアセンブリマガジンを廃棄し、新しいマガジンと取り換えることができる。
【００２０】
本発明のさらなる適用可能性の範囲は、以下に示す詳細な説明から明らかになろう。しかし、詳細な説明および具体的な例は、本発明の好ましい実施形態を示すとはいえ、この詳細な説明から本発明の趣旨および範囲内の様々な変更および修正が当業者には明らかになるので、例示としてのみ提示されていることを理解されたい。
【００２１】
本発明は、詳細な説明および添付の図面から、より完全に理解されることになろう。図面は例示としてのみ与えられており、したがって、本発明を限定するものではない。
【図面の簡単な説明】
【００２２】
【図１】ニードルアセンブリマガジンを備えた薬剤送達デバイスの例示的な実施形態の概略側面図である。
【図２】ニードルアセンブリマガジンの例示的な実施形態の概略的な細部長手方向断面図である。
【図３】ニードルアセンブリマガジンの例示的な実施形態の概略分解組立図である。
【図４】ニードルアセンブリマガジンの使用前の例示的な実施形態の概略的な細部長手方向断面図である。
【図５】ニードルアセンブリマガジンの使用中の例示的な実施形態の概略的な細部長手方向断面図である。
【図６】ニードルアセンブリマガジンの例示的な実施形態の概略的な細部長手方向断面図である。
【図７】ニードルアセンブリマガジンの使用後の例示的な実施形態の概略斜視図である。
【図８】次の使用の用意ができているニードルアセンブリマガジンの例示的な実施形態の概略断面図である。
【図９】次の使用の用意ができているニードルアセンブリマガジンの例示的な実施形態の概略斜視図である。
【図１０】次の使用の用意ができているニードルアセンブリマガジンの例示的な実施形態の概略断面図である。
【図１１】ニードルアセンブリマガジンを備えた薬剤送達デバイスの別の例示的な実施形態の概略側面図である。
【図１２】ニードルアセンブリマガジンの別の例示的な実施形態の概略的な細部長手方向断面図である。
【図１３】ニードルアセンブリマガジンの別の例示的な実施形態の概略分解組立図である。
【図１４】ニードルアセンブリマガジンの使用前の別の例示的な実施形態の概略的な細部長手方向断面図である。
【図１５】次の使用の用意ができているニードルアセンブリマガジンの別の例示的な実施形態の概略的な細部長手方向断面図である。
【図１６】次の使用の用意ができているニードルアセンブリマガジンの別の例示的な実施形態の概略的な細部長手方向断面図である。
【図１７】次の使用の用意ができているニードルアセンブリマガジンの別の例示的な実施形態の概略的な細部長手方向断面図である。
【図１８】次の使用の用意ができているニードルアセンブリマガジンの別の例示的な実施形態の概略的な細部長手方向断面図である。
【００２３】
すべての図で、対応する部材は同じ参照記号で標示されている。
【発明を実施するための形態】
【００２４】
図１は、ニードルアセンブリマガジン２を備えた薬剤送達デバイス１の例示的な実施形態の概略側面図である。薬剤送達デバイス１は、例えば、ペン型注射器、自動注射器、充填済みシリンジなどであり得る。図１に示された例示的な実施形態では、薬剤送達デバイス１は、薬剤を含むカートリッジ（例えば、シリンジ、アンプルなど）を保持するように適用されたカートリッジホルダ部分３を含む。ニードルアセンブリマガジン２は、薬剤送達デバイス１の遠位端に係合するように適用されている。
【００２５】
図２は、ニードルアセンブリマガジン２の例示的な実施形態の概略的な細部長手方向断面図である。カートリッジ４は薬剤送達デバイス１内に配置され、カートリッジ４はセプタム５で封止される。ニードルアセンブリマガジン２は、薬剤送達デバイス１の遠位端に係合するように適用されたカップリング９を有するハウジング６を含む。カップリング９は、例えば、薬剤送達デバイス１の対応するねじ山に係合するように適用されたねじ山であり得る。別の変形形態では、カップリング９は、バヨネットカップリング、摩擦嵌め、スナップ嵌めなどであり得る。カップリング９は、取付け時に薬剤送達デバイス１をニードルアセンブリマガジン２に対して心合わせしやすくする開口部を含むことができる。例えば、開口部は、薬剤送達デバイス１の遠位端を補完するように寸法設定し形成する（例えば、円筒形）ことができる。カップリング９は、針が通過してカートリッジ４のセプタム５に貫入することができるように適用された遠位開口部をさらに含むことができる。
【００２６】
例示的な実施形態では、ニードルガード１０がハウジング６に連結されており、ハウジング６に対して伸長位置（図２に示す）と後退位置の間で並進運動することができる。ガードばね１１は、ニードルガード１０を伸長位置で付勢することができる。ニードルガード１０とハウジング６は、相対的に回転しないように留めることができる。ニードルガード１０は、針が通過できるようにするための遠位開口部２２を含む。
【００２７】
例示的な実施形態では、ニードルアセンブリキャリア７は、ニードルガード１０のボス１２に回転可能に連結される。例示的な実施形態では、ボス１２は、薬剤送達デバイス１の長手方向軸Ｌと平行である軸上に配置される。ニードルアセンブリキャリア７は、複数のアセンブリ８を保持するように適用されている。例示的な実施形態では、ニードルアセンブリ８の数は、カートリッジ４内の使用可能な薬剤の用量の数に対応し得る。ボス１２のクリップ１３は、ニードルアセンブリキャリア７に係合して、ニードルアセンブリキャリア７がボス１２に対して軸方向運動をしないようにすることができる。
【００２８】
例示的な実施形態では、各ニードルアセンブリ８は、両頭針８’、および両頭針８’に連結されたニードルハブ１７を含む。ニードルハブ１７は、ニードルアセンブリキャリア７に形成された開口部１８の中に摺動可能に嵌るように適用されている。ニードルハブ１７の遠位端はクリップ１９を含み、このクリップは、ニードルアセンブリキャリア７に対する近位方向Ｐのニードルハブ１７の軸方向運動を制限するために、ニードルアセンブリキャリア７の遠位面に係合するように適用されている。ニードルハブ１７の近位端は、ニードルアセンブリキャリア７の近位面に基礎が置かれたニードルばね２０を支持するように適用されたフランジを含む。ニードルアセンブリ８は、伸長位置と後退位置（図２に示す）の間で動くことができ、ニードルばね２０は、ニードルアセンブリ８を後退位置で付勢する。
【００２９】
図３に示されるように、弾性の径方向アーム１４をボス１２上に形成し、ニードルアセンブリキャリア７のラチェット１５に係合するように適用することができる。径方向アーム１４は、ニードルアセンブリキャリア７がボス１２に対して第１の回転方向に回転すると、ラチェット１５が係合するときに偏向するが、ボス１２に対して第１の回転方向と反対の第２の回転方向では、ラチェット１５に当接し、ニードルアセンブリキャリア７の回転を阻止する。さらに、ニードルアセンブリ８が薬剤送達デバイス１、およびニードルガード１０の遠位開口部２２と心合わせされるように、ニードルアセンブリキャリア７が十分な角距離だけ回転することを、連続する各ラチェット１５間の間隔によって保証することができる。
【００３０】
例示的な実施形態では、ニードルアセンブリキャリア７はグリップ機能を含み、これらの１つまたはそれ以上が、任意の時間にニードルガード１０の切欠きから突出することができる。グリップ機能は、例えば使用者が押して、ニードルアセンブリキャリア７を回転させることができる。
【００３１】
図４は、本発明によるニードルアセンブリマガジン２の使用前の例示的な実施形態を示す。使用前に、ニードルガード１０はハウジング６に対して伸長位置にあり、ニードルアセンブリ８は、カップリング９の遠位開口部およびニードルガード１０と心合わせされている（例えば、ニードルアセンブリキャリア７を回転させることによって）。
【００３２】
図５は、本発明によるニードルアセンブリマガジン２の使用中の例示的な実施形態を示す。薬剤送達デバイス１は、ニードルアセンブリマガジン２と連結されている。遠位開口部２２が注射部位の上に覆い被さるように、ニードルガード１０の遠位面が注射面に置かれる。遠位に向けられた力が薬剤送達デバイス１に加えられ、これによりニードルガード１０が伸長位置から後退位置に向かってガードばね１１の力に抗して並進運動して、針８’の近位先端がカートリッジ４のセプタム５を穿孔することが可能になる。
【００３３】
図６は、本発明によるニードルアセンブリマガジン２の使用中の例示的な実施形態を示す。さらに遠位に向けられた、薬剤送達デバイス１に加えられる力により、ニードルガード１０が後退位置に並進運動する。カップリング９は、針８’の遠位先端がニードルガード１０の遠位開口部２２を通過して注射部位を穿孔するように、ニードルアセンブリハブ１７の近位フランジに係合してニードルハブ１７（および針８’）をニードルばね２０の付勢力に抗して遠位方向に、後退位置から伸長位置に押す。
【００３４】
図７は、本発明によるニードルアセンブリマガジン２の使用後の例示的な実施形態を示す。薬剤送達デバイス１に対する力が低減もしくは解除されると、またはニードルアセンブリマガジン２が注射部位から取り除かれると、ニードルばね２０の付勢力によりニードルアセンブリ８が伸長位置から後退位置に並進運動し、またガードばね１１の付勢力によりニードルガード１０が後退位置から伸長位置に並進運動する。
【００３５】
図９は、次の注射の用意ができている本発明によるニードルアセンブリマガジン２の例示的な実施形態を示す。次の注射が必要になると、グリップ機能を使用してニードルアセンブリキャリア７をボス１２に対して回転させ、それによって新しいニードルアセンブリ８をカップリング９およびニードルガード１０の各遠位開口部と心合わせすることができる。
【００３６】
図８および図１０は、次の注射の用意ができている本発明によるニードルアセンブリマガジン２の例示的な実施形態を示す。これらの図で、ニードルアセンブリキャリア７は、新しいニードルアセンブリ８をカップリング９およびニードルガード１０の各遠位開口部と心合わせするために、ボス１２に対して回転されている。ラチェット１５と弾性の径方向アーム１４が係合することにより、触覚フィードバックが使用者に与えられる。例えば、ラチェット１５が径方向アーム１４に係合し、これを偏向させるときに回転抵抗が増大し得る。ラチェット１５が径方向アーム１４を飛び越えると回転抵抗が減少して、新しいニードルアセンブリ８が適切な位置にあるという触覚フィードバックを得ることができる。径方向アーム１４は、使用済みニードルアセンブリ８が再使用されないように、ニードルアセンブリキャリア７の「巻き戻し」を防止することができる。
【００３７】
図１１は、本発明によるニードルアセンブリマガジンの別の例示的な実施形態を示す。この例示的な実施形態では、ハウジング６は、残っている未使用のニードルアセンブリの数、使用済みニードルアセンブリの数などを示す印（例えば、数字、図、記号、色）を見るための切欠き１６を含む。したがって、ニードルアセンブリが使用されるたびに印を更新して、ニードルアセンブリマガジンの使用に関する視覚フィードバックを与えることができる。
【００３８】
図１２は、本発明によるニードルアセンブリマガジンの別の例示的な実施形態を示す。この例示的な実施形態では、ニードルアセンブリマガジン２は、ボス１２に回転可能に両方が連結されている近位プレート２５および遠位プレート２４を含む、ニードルアセンブリキャリア７を有する。近位プレート２５はまた、ボス１２にも摺動可能に連結されている。キャリアばね２６が、近位プレート２５を遠位プレート２４に対して付勢する。近位プレート２５および遠位プレート２４は、ニードルアセンブリ８を保持するための開口部を含む。この例示的な実施形態では、ニードルアセンブリ８はそれぞれ、近位先端および遠位先端を有する針８’に連結されたニードルハブ１７を含む。
【００３９】
例示的な実施形態では、ニードルアセンブリマガジン２は、ハウジング６に摺動可能に連結されたボタン２３を含む。ボタン２３は、使用者に押されるように適用された外面を含む。ボス１２のクリップ１３は、ボス１２に対してボタン２３が伸長位置（図１２に示される）を越えて動くためにボタン２３に係合する。ボタンばね２９がボタン２３を伸長位置に向けて付勢する。ボタン２３は、ボタン２３を後退位置に押すことで近位プレート２５をボス１２に対して変位させるように、近位プレート２５に連結される。
【００４０】
図１３の例示的な実施形態に示されるように、ハウジング６は、近位プレート２５に連結された軌道２８に係合するように適用された駆動歯２７を含む。軌道２８は、近位プレート２５の近位に延びるステム上に形成することができ、駆動歯２７は、軌道２８に係合するようにハウジング６に径方向に配置することができる。例示的な実施形態では、軌道２８は、駆動歯２７を受けるように適用されたいくつかの長手方向チャネル２８．１を含む。駆動歯２７が長手方向チャネル２８．１の中にあるとき、ニードルガード１０に対する近位プレート２５の回転が阻止される。軌道２８は、連続する長手方向チャネル２８．１を連結するいくつかの傾斜部分２８．２をさらに含む。以下でさらに説明するように、ボタン２３が押されると、駆動歯２７は第１の長手方向チャネル２８．１から傾斜部分２８．２を越えて第２の長手方向チャネル２８．１に移動し、傾斜部分２８．２により近位プレート２５がニードルガード１０に対して回転する。ニードルアセンブリ８が近位プレート２５および遠位プレート２４の各開口部に配置されているので、近位プレート２５が回転すると遠位プレート２４が一致して回転することになる。例示的な実施形態では、ボタン２３を一回押し下げることによりプレート２４、２５が回転してニードルアセンブリ８をカップリング９およびニードルガード１０の各遠位開口部と心合わせするように、連続する各長手方向チャネル２８．１間の角距離が、プレート２４、２５の連続する各ニードルアセンブリ８間の角距離と一致している。
【００４１】
図１２に戻ると、ニードルアセンブリマガジン２は使用前の位置にある。薬剤送達デバイス１はハウジング６に連結され、ニードルガード１０は伸長位置にあり、ボタン２３は伸長位置にある。薬剤デバイスがハウジング６に連結されると、カップリング９の遠位開口部と心合わせされたニードルアセンブリ８の針８’の近位先端は、カートリッジ４のセプタム５に貫入する。キャリアばね２６がプレート２４、２５を互いに付勢し、また近位プレート２５がハウジング６に当接するのに対し遠位プレート２４がニードルガード１０に当接するので、ニードルガード１０は伸長位置で保持される。
【００４２】
ニードルガード１０が伸長位置にあるとき、遠位開口部２２と心合わせされたニードルアセンブリ８の針８’の遠位先端はカバーされている。実際、ハウジング６およびニードルガード１０は、針８’が使用前後、または使用中に決して見えないように、不透明な材料から作ることができる。別の例示的な実施形態では、ニードルアセンブリマガジン２の針８’および／または他の任意の構成要素の視覚化を可能にするために、ハウジング６および／またはニードルガード１０の全部もしくは一部分を半透明にすることができる。
【００４３】
図１４は、ニードルアセンブリマガジン２の使用中の例示的な実施形態を示す。ニードルガード１０が注射面に置かれるとき、遠位開口部２２が注射部位と心合わせされる。遠位に向けられた力が薬剤送達デバイス１に加えられ、これによりニードルガード１０が伸長位置から後退位置に向かってキャリアばね２６の力に抗して並進運動して、遠位プレート２４が軸方向に近位プレート２５に向かって動くことになる。カップリング９は、針８’の遠位先端がニードルガード１０の遠位開口部２２を通過して注射部位を穿孔するように、ニードルアセンブリハブ１７の近位フランジに係合してニードルハブ１７（および針８’）を遠位方向に後退位置から伸長位置に押す。
【００４４】
薬剤送達デバイス１に対する力が低減もしくは解除されると、またはニードルアセンブリマガジン２が注射部位から取り除かれると、キャリアばね２６の付勢力により、ニードル遠位プレート２４が遠位方向に並進運動し、これにより、ニードルガード１０が後退位置から伸長位置に並進運動する。伸長位置では、ニードルガード１０が針８’の遠位先端をカバーする。
【００４５】
図１５は、次の注射の用意ができている本発明によるニードルアセンブリマガジン２の例示的な実施形態を示す。次の注射が必要になると、ボタン２３が押されて近位プレート２５が変位する。近位プレート２５が動くと、近位プレートがキャリアばね２６を介して遠位プレート２４を遠位方向に押す。この遠位の動きが、針８’の近位先端をカートリッジ４およびセプタム５から引き出す。
【００４６】
図１６は、次の注射の用意ができている本発明によるニードルアセンブリマガジン２の例示的な実施形態を示す。ボタン２３が押されると、駆動歯２７は、第１の長手方向チャネル２８．１の中で近位に移動する。駆動歯２７が傾斜部分２８．２に到達すると、近位プレート２５は、したがってまたニードルアセンブリ８および遠位プレート２４は、ハウジング６およびニードルガード１０に対して回転する。
【００４７】
図１７は、次の注射の用意ができている本発明によるニードルアセンブリマガジン２の例示的な実施形態を示す。ボタン２３が完全に押されると、駆動歯２７は長手方向チャネル２８．１に入るかまたは心合わせされており、プレート２４、２５は、新しいニードルアセンブリがカップリング９およびニードルガード１０の遠位開口部と心合わせされるように、十分な角距離だけ回転している。
【００４８】
図１８は、次の注射の用意ができている本発明によるニードルアセンブリマガジン２の例示的な実施形態を示す。ボタン２３が解放されたとき、プレート２４、２５およびニードルガード１０は最初の軸方向位置にあり、新しい針８’の近位先端がカートリッジ４のセプタム５を穿孔する。駆動歯２７は、第２の長手方向チャネル２８．１の下方へ移動して、プレート２４、２５がそれ以上回転しないようにする。
【００４９】
プレート２４、２５が回転し終えたとき、新しい印３０が見えるようになって、例えば、残っている未使用のニードルアセンブリ８の数、使用済みニードルアセンブリ８の数、ニードルアセンブリのすべてが使用されたかどうか、などについての視覚フィードバックが得られる。
【００５０】
装置、方法および／またはシステムの様々な構成要素ならびに本明細書に記載の実施形態の修正（追加および／または除去）を、このような修正、およびそのありとあらゆる等化物を包含する本発明の全範囲および趣旨から逸脱せずに加えることができることが当業者には理解されよう。
【図１】
0006363091.tif 000002
【図２】
0006363091.tif 000003
【図３】
0006363091.tif 000004
【図４】
0006363091.tif 000005
【図５】
0006363091.tif 000006
【図６】
0006363091.tif 000007
【図７】
0006363091.tif 000008
【図８】
0006363091.tif 000009
【図９】
0006363091.tif 000010
【図１０】
0006363091.tif 000011
【図１１】
0006363091.tif 000012
【図１２】
0006363091.tif 000013
【図１３】
0006363091.tif 000014
【図１４】
0006363091.tif 000015
【図１５】
0006363091.tif 000016
【図１６】
0006363091.tif 000017
【図１７】
0006363091.tif 000018
【図１８】
0006363091.tif 000019